(57)【要約】【課題】第２面の画像形成に供される用紙を平面状態で冷却することにより、用紙のカールの固定を防ぎ、画質の向上と、安定した用紙搬送を実現する。【解決手段】用紙の両面に画像を形成する画像形成装置であって、熱定着方式の定着器と、外部の気温を測定する温度センサと、スタックレス自動両面画像形成を行うための用紙搬送路と、用紙を平面状態で、且つ、直線的に搬送する前記用紙搬送路中の冷却領域に設けた用紙冷却手段と、画像の連続出力枚数を設定するための枚数設定手段と、前記用紙冷却手段を制御する制御部とを有し、前記制御部が、前記温度センサの温度情報と、連続出力枚数設定情報に基づき、第２面の画像転写に供される用紙の前記冷却領域における冷却後の温度が、３５〜４５℃になるように、前記用紙冷却手段を制御することを特徴とする画像形成装置。【選択図】        図１
2004170590.tif 000002
【特許請求の範囲】
【請求項１】
電子写真方式により用紙の両面に画像を形成する画像形成装置であって、熱定着方式の定着器と、前記画像形成装置の外部の気温を測定する温度センサと、スタックレス自動両面画像形成を行うための用紙搬送路と、用紙を平面状態で、且つ、直線的に搬送する前記用紙搬送路中の冷却領域に設けた用紙冷却手段と、画像の連続出力枚数を設定するための枚数設定手段と、前記用紙冷却手段を制御する制御部とを有し、前記制御部が、前記温度センサの温度情報と、前記枚数設定手段による枚数設定情報に基づき、第２面の画像転写に供される用紙の前記冷却領域における冷却後の温度が、３５〜４５℃になるように、前記用紙冷却手段を制御することを特徴とする画像形成装置。
【請求項２】
電子写真方式により用紙の両面に画像を形成する画像形成装置であって、熱定着方式の定着器と、前記画像形成装置の外部の気温を測定する温度センサと、スタックレス自動両面画像形成を行うための用紙搬送路と、用紙を平面状態で、且つ、直線的に搬送する前記用紙搬送路中の冷却領域に設けた用紙冷却手段と、画像の連続出力枚数を設定するための枚数設定手段と、第２面の画像転写に供される用紙の前記用紙直線搬送部における冷却後の温度範囲を設定するための温度範囲設定手段と、前記用紙冷却手段を制御する制御部とを有し、前記制御部が、前記温度センサの温度情報と、前記枚数設定手段による枚数設定情報に基づき、前記冷却領域における第２面の画像転写に供される用紙の冷却後の温度が、前記温度範囲設定手段にて設定された温度範囲に入るように、前記用紙冷却手段を制御することを特徴とする画像形成装置。
【請求項３】
前記用紙搬送路は、黒色、あるいは放射熱の吸収率の高い色に着色されたガイド部材を有することを特徴とする請求項１、または、請求項２に記載の画像形成装置。
【請求項４】
前記ガイド部材は、外気導入冷却ファンにより冷却されることを特徴とする請求項３に記載の画像形成装置。
【請求項５】
前記用紙搬送路は、同軸上にフィンを有する用紙搬送ローラを有し、前記用紙搬送ローラと共に回転する前記フィンによる送風により、搬送中の用紙を冷却するように構成されていることを特徴とする請求項１、または、請求項２に記載の画像形成装置。
【請求項６】
前記用紙搬送路の一部を画像形成装置の筐体外に設けたことを特徴とする請求項１、または、請求項２に記載の画像形成装置。
【発明の詳細な説明】
【０００１】
【発明の属する技術分野】
本発明は、電子写真方式により、用紙の両面に画像の形成を行うことができる複写機、プリンタ等の画像形成装置に関する。
【０００２】
【従来の技術】
近年、省資源、省スペース等の社会的ニーズに対応して、１枚の用紙の両面に画像形成ができる電子写真方式による複写機、プリンタ等の画像形成装置が、市場に提供されている。
【０００３】
それらの画像形成装置による用紙の両面への画像形成は、先ず、用紙の表面（第１面）にトナー画像の転写を行い、前記トナー画像を加圧、加熱手段にて前記用紙に定着して、前記用紙を用紙反転手段にて反転した後、用紙搬送路により用紙を再給紙部まで搬送して、再度、前記用紙を画像転写部に供給し、第１面と同様に、裏面（第２面）へのトナー画像の転写から定着までのプロセスを実行することにより達成できる。
【０００４】
前記画像形成装置には、第１面への画像定着がなされた用紙を所定の設定枚数まで、一旦、積載装置（スタッカ）に収容した後、前記スタッカより前記用紙を順次、用紙搬送路に送り出し、再給紙部に供給することにより、第２面への画像形成を行わしめる、いわゆるスタック方式と呼ばれる両面画像形成装置と、前記スタッカを有せず、第１面への画像定着がなされた用紙を直ちに反転手段により表裏反転した後、用紙搬送路にて搬送し、再給紙部に供給することにより第２面への画像形成を行わしめる、いわゆるスタックレス方式の両面画像形成装置が存在する。
【０００５】
加圧、加熱により第１面の画像定着がなされた用紙は、加熱ローラによる加熱をトナー画像を担持した面に、より強く受けるので、第１面と第２面の温度差によりカールが発生する。前記スタックレス方式の画像形成装置においては前記用紙は、短時間の内に、定着器から第２面への画像形成のための再給紙部まで搬送されるが、再給紙部における小曲率の形状を持つ搬送ガイドにより前記カールが強められ、さらに、その状態での温度低下によって前記カールが固定されるので、第２面への画像転写に際して、転写不良等の画質の低下や、用紙搬送不良等の不都合をもたらす。
【０００６】
この問題の改善のために、第１面の画像定着を終えた用紙を、第２面の画像形成に供するために再給紙部まで搬送する用紙搬送路に、用紙の冷却を行うための冷却素子や、冷却用ファンを設けた画像形成装置が提案されている（例えば、特許文献１、および、特許文献２参照。）。
【０００７】
【特許文献１】
特開平９−１６０３１１号公報（１−２頁、第１図）
【０００８】
【特許文献２】
特開平９−１７１３１１号公報（１−２頁、第１図）
【０００９】
【発明が解決しようとする課題】
しかしながら、上記の提案は、第１面への画像定着が行われた用紙を、第２面の画像形成に供する以前に、冷却手段により冷却するようにした画像形成装置の提供をすることにあるが、用紙がカールしたままの状態で温度を下げることは、むしろカールを固定する弊害を生む。また、用紙の温度を下げるための冷却量は、外気温や、連続画像出力による画像形成装置内の温度上昇等により変わるので、時として冷却不足を生じたり、あるいは、余分な冷却をすることとなり、画像形成装置の無駄なエネルギーの消費や、騒音の増加をもたらしている。
【００１０】
本発明は、上記のような問題に鑑みてなされたもので、その目的は、第１面の画像定着が終了し、第２面の画像形成のために供される用紙の温度を、用紙を平面状態に置いて冷却を行うことにより、カールを減少させ、第２面の安定した画像形成に供するようにすると共に、外気温の情報、および、設定された連続画像出力枚数の情報を基に、制御部が用紙冷却手段を制御して、前記用紙の温度が、３５℃、あるいは、あらかじめ温度範囲設定手段にて設定された温度以下になる場合には、前記制御部が前記用紙冷却手段の冷却力を抑制するように制御して、無駄なエネルギー消費と騒音を防止するようにした画像形成装置を提供することにある。
【００１１】
【課題を解決するための手段】
本発明の目的は、以下の手段により達成できる。
【００１２】
（１）  電子写真方式により用紙の両面に画像を形成する画像形成装置であって、熱定着方式の定着器と、前記画像形成装置の外部の気温を測定する温度センサと、スタックレス自動両面画像形成を行うための用紙搬送路と、用紙を平面状態で、且つ、直線的に搬送する前記用紙搬送路中の冷却領域に設けた用紙冷却手段と、画像の連続出力枚数を設定するための枚数設定手段と、前記用紙冷却手段を制御する制御部とを有し、前記制御部が、前記温度センサの温度情報と、前記枚数設定手段による枚数設定情報に基づき、第２面の画像転写に供される用紙の前記冷却領域における冷却後の温度が、３５〜４５℃になるように、前記用紙冷却手段を制御することを特徴とする画像形成装置。
【００１３】
（２）  電子写真方式により用紙の両面に画像を形成する画像形成装置であって、熱定着方式の定着器と、前記画像形成装置の外部の気温を測定する温度センサと、スタックレス自動両面画像形成を行うための用紙搬送路と、用紙を平面状態で、且つ、直線的に搬送する前記用紙搬送路中の冷却領域に設けた用紙冷却手段と、画像の連続出力枚数を設定するための枚数設定手段と、第２面の画像転写に供される用紙の前記用紙直線搬送部における冷却後の温度範囲を設定するための温度範囲設定手段と、前記用紙冷却手段を制御する制御部とを有し、前記制御部が、前記温度センサの温度情報と、前記枚数設定手段による枚数設定情報に基づき、前記冷却領域における第２面の画像転写に供される用紙の冷却後の温度が、前記温度範囲設定手段にて設定された温度範囲に入るように、前記用紙冷却手段を制御することを特徴とする画像形成装置。
【００１４】
（３）  前記用紙搬送路は、黒色、あるいは放射熱の吸収率の高い色に着色されたガイド部材を有することを特徴とする（１）、または、（２）に記載の画像形成装置。
【００１５】
（４）  前記ガイド部材は、外気導入冷却ファンにより冷却されることを特徴とする（３）に記載の画像形成装置。
【００１６】
（５）  前記用紙搬送路は、同軸上にフィンを有する用紙搬送ローラを有し、前記用紙搬送ローラと共に回転する前記フィンによる送風により、搬送中の用紙を冷却するように構成されていることを特徴とする（１）、または、（２）に記載の画像形成装置。
【００１７】
（６）  前記用紙搬送路の一部を画像形成装置の筐体外に設けたことを特徴とする（１）、または、（２）に記載の画像形成装置。
【００１８】
【発明の実施の形態】
本発明の実施の形態の一例を、以下、画像形成装置Ｄの構成を示す模式図である図１を基にして、また、制御関係を示すブロック図である図４を適宜に参照しながら説明をする。
【００１９】
前記画像形成装置Ｄは、デジタル複写機としての機能と、ホストコンピュータ等の情報処理機器に接続され、文字や画像の出力を行うプリンタとしての機能とを有しているが、以下の説明では、デジタル複写機としての機能を基に説明をする。
【００２０】
図１で示されるように画像形成装置Ｄは、自動原稿送り装置１、画像読取装置２、画像形成部３、用紙反転部４、冷却領域５、用紙収納部６、および、画像形成装置Ｄの外部の気温を測定する温度センサ７から構成されている。
【００２１】
前記自動原稿送り装置１は、原稿載置台上に置かれた原稿を１枚ずつ原稿読取装置へ搬送し、画像読取が終わった原稿を所定の場所に排紙する装置である。
【００２２】
前記自動原稿送り装置１は、原稿Ｓを載置する原稿載置台１１、原稿載置台１１上の原稿Ｓを１枚ずつ送り出す原稿給紙手段１２、前記原稿Ｓを搬送する複数の搬送ローラを含む原稿搬送手段１３、前記原稿搬送手段１３から送られた原稿Ｓを排紙する原稿排紙手段１４、排紙された原稿Ｓを載置する原稿排紙台１５、および、両面複写モードにおいて、原稿Ｓの表裏を反転させるための反転ローラ対を備えた原稿反転手段１６を有している。
【００２３】
前記原稿載置台１１に載置された複数枚の原稿Ｓは、前記原稿給紙手段１２により１枚ずつ送り出され、前記原稿搬送手段１３により搬送され、前記原稿搬送手段１３の下方にある画像読取装置２のスリット２１の場所にて情報が読みとられる。情報が読みとられた原稿Ｓは原稿排紙手段１４により、原稿排紙台１５に排紙される。
【００２４】
なお、原稿Ｓの両面の画像を読みとる際には、表面（第１面）の画像が読みとられた原稿Ｓを原稿反転手段１６に導き、前記原稿Ｓの後端が反転ローラ対に挟持された状態で、前記反転ローラ対を逆回転させることにより、前記原稿Ｓの表裏を反転させて、再度、原稿搬送手段１３に送り出し、裏面（第２面）の読み取りを行う。
【００２５】
画像読取装置２は、スリット２１上を搬送される原稿Ｓの画像を読み取り、画像データを得る装置である。
【００２６】
前記スリット２１の場所にて照射ランプ２３によって照射された前記原稿Ｓの反射画像は、第１ミラーユニット２４、第２ミラーユニット２５、および、結像レンズ２６により撮像素子であるＣＣＤ２７に結像される。
【００２７】
前記ＣＣＤ２７により光電変換され、アナログ信号として出力された前記原稿Ｓの画像情報は、Ａ／Ｄ変換器（不図示）によりデジタル信号に変換され、デジタル画像情報として図４に示される制御部Ｃの画像処理部ＣＧに送られる。前記画像処理部ＣＧは、前記デジタル画像情報に、シェーディング補正、フィルター処理、γ補正等の適宜の処理を施して得られた画像情報を主制御部ＭＣのメモリに収納する。
【００２８】
画像形成部３は、電子写真プロセスにより画像形成を行う部位である。
前記画像形成部３は感光体ドラム３１、前記感光体ドラム３１の表面を一様に帯電する帯電器３２、画像処理後の画像データに基づき前記感光体ドラム３１の表面上に静電潜像を形成するためのレーザビーム走査露光を行うレーザ書込部ＬＷ、前記感光体ドラム３１上の静電潜像を反転現像して、トナー画像を形成する現像器Ｇ、感光体ドラム３１上に形成された前記トナー画像を用紙Ｐに転写せしめる転写極３３、トナー画像を担持した前記用紙ＰをＡＣコロナ放電により除電して感光体ドラム３１から分離させる分離極３４、用紙Ｐへの画像転写を終了した後の残留トナーを感光体ドラム３１の表面上から取り除くためのクリーニング部３５、感光体ドラム３１から分離され搬送ベルト３７により送られてきたトナー画像を担持した前記用紙Ｐを加熱ローラ３８１と加圧ローラ３８２により加圧、加熱して、トナー画像の用紙Ｐへの定着を行う定着器３８、画像定着された前記用紙Ｐを排紙皿４０あるいは用紙反転部４へ振り分けて搬送する振り分け搬送部３９等、公知の電子写真方式による画像形成のための技術手段を備えている。
【００２９】
次に、上記の構成からなる画像形成部３の画像形成プロセスの説明をする。
先ず、主制御部ＭＣのメモリに収納されていた画像情報が、制御部ＣにあるプリントコントローラＰＣに送られ、前記プリントコントローラＰＣは前記画像情報をレーザ書込部ＬＷに送り、前記レーザ書込部ＬＷは前記画像情報に基づき、帯電極３２により一様帯電された感光体ドラム３１を走査露光し、前記感光体ドラム３１上に潜像を形成する。前記潜像は、現像器Ｇにより反転現像され、トナー画像が感光体ドラム３１上に形成される。
【００３０】
感光体ドラム３１上に形成されたトナー画像は、用紙収納部６から給送され、レジストローラ６１により前記画像とのタイミングをとって送り出された用紙Ｐの上に、転写手段として設けられた転写極３３にトナーと逆極性の高電圧を印加することにより転写される。
【００３１】
トナー画像を担持した用紙Ｐは、ＡＣ高電圧を印加された分離極３４の作用により感光体ドラム３１の表面から分離し、搬送ベルト３７により定着器３８に送られる。
【００３２】
一方、用紙Ｐへのトナー画像の転写が終了した感光体ドラム３１の表面は、クリーニング部３５により、表面上に残留したトナーの除去、清掃が行われ、次の画像形成プロセスに対応する。
【００３３】
前記定着器３８に送られたトナー画像を担持した用紙Ｐは、熱源Ｈを内蔵する加熱ローラ３８１と、その下方に当接して設けられた加圧ローラ３８２の間を、加圧、加熱を受けながら進行し、その結果、トナー画像が用紙Ｐに定着される。
【００３４】
画像定着された前記用紙Ｐは、片面のみの画像形成の場合には、振り分け搬送部３９を介して排紙皿４０に排出される。
【００３５】
用紙Ｐの両面に画像形成する場合には、表面（第１面）に画像定着された前記用紙Ｐは前記振り分け搬送部３９、実線位置にある切換ガイド４４に導かれ、用紙反転部４に送られる。
【００３６】
用紙反転部４に送られた前記用紙Ｐは、反転ローラ対４１により図の下方に送られ、その後端が用紙検知センサ４２により検知されると、前記反転ローラ対４１が一旦停止し、逆転することにより、図の実線位置から点線位置に移動した切換ガイド４４に導かれて、裏面（第２面）の画像形成のための主な用紙搬送路中にある、用紙冷却手段を備えている冷却領域５に送られる。
【００３７】
前記用紙反転部４は、用紙Ｐの第２面への画像形成を行うための用紙搬送路の一部であるが、図示されているように、画像形成装置Ｄの各部を収納している筐体Ｋの外部に設けられている。その目的は、加熱定着により上昇した用紙Ｐの温度を、画像形成装置Ｄの機内よりも温度の低い外気に用紙Ｐを吊り下げた状態で触れさせることによってカールの矯正と冷却を行うことにある。従って、前記用紙反転部４の外装は、良好な通風を得るためにその下部と、上部には適宜の通風口が設けられている。なお、必要に応じて、前記上部、あるいは下部にファンを設けてもよい。また、前記外装の全面に縦スリット状のパンチ穴を設けることも有効である。
【００３８】
冷却領域５は、用紙反転部４からレジストローラ６１まで用紙Ｐを搬送するための用紙搬送路中にあり、裏面（第２面）への画像形成に供される用紙Ｐを、平面状態で、且つ、直線的に搬送する領域である。具体的には、図１で示すローラ５１からローラ５６間での領域をいう。
【００３９】
図２は、冷却領域５の構成を説明するための模式図である。
図３は、外気導入冷却ファンの稼働数と風量の関係を示す図である。
【００４０】
第２面への画像転写に供される用紙Ｐは、図２において、矢印Ａで示すように用紙反転部４から冷却領域５に送り込まれて、複数の用紙搬送ローラ対と、ガイド部材と、用紙冷却手段とにより、平面状態を維持した状態で冷却され、水平に直線搬送されて、矢印Ｂで示されるレジストローラ６１に向けて送り出される。
【００４１】
用紙搬送ローラ対５１、５２、５３、５４、５５、５６の下部のローラは両側にフィンを有しており、用紙Ｐの搬送と同時に冷却風を作り出すようにしてある。また、複数の前記用紙搬送ローラ対の間には、搬送される前記用紙Ｐを導くためのガイド部材として、黒色、あるいは、放射熱の吸収率の高い色に着色表面処理されたガイド板５１１、５１２、５１３、５１４、５１５が上下に設けられている。また、前記のそれぞれのガイド板の奥には用紙冷却手段である外気導入冷却ファン７１、７２、７３、７４、７５が設けられており、これらのファンは図４にて示される制御部Ｃにある冷却手段制御部ＴＣにより回転制御されて、外気を奥側から手前側に送り、前記用紙Ｐ、および、前記ガイド板の冷却を行っている。なお、それぞれの前記外気導入冷却ファンの位置に対応して、画像形成装置Ｄの手前、および、奥側の外装には通風口（不図示）が設けてある。
【００４２】
なお、冷却領域５における冷却力の大きさを可変にするための風量制御は、図３に示すように前記冷却手段制御部ＴＣが、複数の前記外気導入冷却ファンを個別に、回転速度、および、回転のオンオフを制御することにより行われる。
【００４３】
上部板５７、および、下部板５８は、冷却領域５を画像形成部３と用紙収納部６との間の独立した空間とするためのもので、トナーの飛散や、冷却用空気流の乱れを防止している。
【００４４】
すでに図１の説明の際、参照のために使用したが、図４は制御部Ｃの構成を示すブロック図である。
【００４５】
図にて示されるように、制御部Ｃは画像の入力と、入力された画像の画像処理を行う画像処理部ＣＧ、画像形成部３のレーザ書込部ＬＷへ画像情報の出力を行うプリントコントローラＰＣ、温度センサ７の情報と、画像の連続出力枚数を設定するための枚数設定手段であるキーボードと液晶表示部からなる操作表示部ＫＤを用いて入力された画像出力枚数情報の二つの情報を基に用紙冷却手段を制御する冷却手段制御部ＴＣ、画像形成装置Ｄ全般の機械動作、および操作表示部を制御する主制御部ＭＣから構成される。なお、これらの処理部、コントローラ、および、制御部は、独立にＣＰＵとメモリを備えており、それぞれは、バスライン、あるいは、適宜なパラレルインターフェイスや、シリアルインターフェイスにて接続されている。
【００４６】
次に、画像形成装置Ｄにおける、第２面の画像形成に供される用紙Ｐの冷却について、第１面の画像定着を終えた用紙Ｐの流れに沿って、用紙の転写面の温度変化を示す図５を参照しながら説明をする。
【００４７】
画像形成装置Ｄが一般的な使用環境温度である１０〜３０℃という環境下で使用された場合、第１面の画像転写に供される用紙Ｐの温度は前記使用環境温度と同じである（図中▲１▼）。トナー画像の転写がなされて、次に、定着部３８において加圧、加熱によりトナー画像の定着がなされた後に、排紙皿４０、あるいは用紙反転部４に送り出された直後の用紙Ｐの温度は、例えば、加熱ローラ３８１の表面温度が１９０℃の場合（図中▲２▼）、７０〜９０℃である（図中▲３▼）。前記用紙Ｐは、両面への画像形成を行う場合、用紙反転部４で反転され、冷却領域５にてレジストローラ６１まで搬送され、第２面への画像転写のために供されるが、用紙冷却手段を作動させない場合、用紙の温度は４０〜６０℃で（図中▲４▼）、第１面への画像転写のために用紙収納部からレジストローラ６１に送られた用紙Ｐの温度である１０〜３０℃に比較して、３０℃高温になっている。また、連続して、多数枚の画像出力を行った場合には、画像形成装置Ｄ内の温度が上昇することから前記用紙の温度（図中▲４▼）は、図の矢印で示される方向に徐々に上昇する。
【００４８】
第２面の画像形成に供される高温の前記用紙Ｐは、用紙冷却手段を作動させない場合、トナー画像を担持した第１面を内側にしたカールを持ったまま、レジストローラ６１の上流に位置する曲率の小さい搬送ガイド部６０にて待機状態に入る。前記用紙Ｐのカールは、前記搬送ガイド部６０による強制的な曲げ状態によって、より強められ、さらに高温からの冷却によりカールが固定され、結果として、第２面の画像形成に際して、はじき、転写抜け等の画質の低下を招くと共に、角折れや、ジャム等の搬送上の不都合をもたらす。
【００４９】
本発明は、第１面の画像定着により上昇した用紙Ｐの温度（図中▲４▼）を、カールの固定という観点では問題がない温度であり、且つ、画像形成装置Ｄの使用環境温度内にある外気の導入による冷却が可能であるところの４５℃以下（図中▲５▼）に、用紙を平面状態に維持しながら下げることにより、カールの矯正を行うと共に、搬送ガイド部６０において高温の用紙Ｐが待機中に冷えることによって引き起こされるカールの固定を防止して第２面の画像転写に供することにより、カールに起因する問題の発生を抑制している。また、画像形成装置Ｄの使用環境温度である１０〜３０℃の外気温の導入により高温の用紙を冷却することにより、容易に達成できる用紙の冷却後の温度は、３５℃であるが、それ以下にするような用紙冷却手段による冷却を止めることにより、無駄なエネルギーの消費防止と騒音防止を実現している。
【００５０】
本発明による裏面への画像形成に供される用紙Ｐの冷却は、先ず、切換ガイド４４周辺のローラ、ガイド板との接触により行われ、次に、用紙反転部４に入る。用紙反転部４は、既に述べたように、画像形成装置Ｄの筐体Ｋの外に設けられており、その外装の上部、および、下部には通風口があり、外気の取り込みと下部から上部への対流を図っている。即ち、画像形成装置Ｄの動作に伴って徐々に上昇する機内温度とは異なり、用紙反転部４においては、常に外気温に近い環境下で用紙Ｐの反転が行われると同時に、用紙Ｐが鉛直方向に垂下された状態で冷却がなされる。しかしながら、前記用紙Ｐが前記用紙反転部４に留まる時間は、極めて短時間であることから、必要十分なレベルまでの冷却が、用紙反転部４のみで達成されることはない。
【００５１】
その後、前記用紙Ｐは、冷却領域５に送られ、水平に平面を維持した状態で、複数の用紙搬送ローラ対とガイド板との接触と、冷却手段である複数の外気導入冷却ファンから送られる外気により冷却される。
【００５２】
温度センサ７は、画像形成装置Ｄの外側近傍の外気温を測定するもので、その値は、冷却手段制御部ＴＣに送られる。
【００５３】
冷却手段制御部ＴＣは、すでに説明したように、複数の外気導入冷却ファンの回転数、および、オンオフを個別に制御できるようにしてあるので、前記温度センサ７からの外気温情報、および、画像の連続出力枚数を設定するための枚数設定手段である操作表示部ＫＤにて入力され、主制御部ＭＣを介して送られた枚数設定情報を基に、あらかじめ、後述の関数式、および、実験結果により作成された冷却手段制御部ＴＣのメモリに作られているテーブルを参照して、前記外気導入冷却ファンを駆動制御することにより、用紙Ｐが搬送ガイド６０に到達する前に、前記用紙の温度が４５℃以下になるようにする。
【００５４】
また、本発明においては、前記用紙の温度が３５℃以下になることが前記テーブルにより予測された場合には、外気導入冷却ファンを停止、あるいは、回転数を抑えることにより送風量を下げ、無駄な電力の消費と騒音を防止している。即ち、第２面の画像形成に供される用紙の温度が３５〜４５℃の間に入るようにしている（図５、▲５▼以下の斜線にて示される範囲）。
【００５５】
即ち、上記の冷却手段制御部ＴＣによる制御は、下記の関数式で表すことができる。
３５≦ＴＴ−Ｔ≦４５
ＴＴ＝ＴＴ（Ｎ）
Ｔ＝Ｔ（ＴＡ、ＴＦ）
ＴＦ＝ＴＦ（Ｘ１、Ｘ２、Ｘ３、Ｘ４、Ｘ５）
ＴＴ：図５の▲４▼で示される用紙の温度
Ｔ：用紙冷却手段による用紙の降下温度
Ｎ：連続画像出力枚数
ＴＡ：画像形成装置Ｄ近傍の外気温
ＴＦ：用紙冷却手段の送風量
Ｘ１、Ｘ２、Ｘ３、Ｘ４、Ｘ５：外気導入冷却ファンの回転数
なお、前記３５℃から４５℃という温度設定範囲は、許容されるカール量、画像形成装置Ｄの構造、電子写真プロセス、使用される資材等によっては、変更することが妥当である場合もある。その場合には、冷却手段制御部ＴＣは、外気温情報と、画像出力枚数設定情報と、枚数設定手段としての使用だけでなく温度範囲設定手段としても使用される操作表示部ＫＤから入力された新しい温度設定範囲とを基にして、あらかじめ、いくつかの温度設定範囲について冷却手段制御部ＴＣのメモリ内に作成されている複数のテーブルの中で、値が最も近いテーブルを参照して、冷却手段である冷却領域５の複数のファンを制御することにより、用紙Ｐに対して所定の冷却を行う。
【００５６】
【発明の効果】
本発明により、電子写真方式によるスタックレス方式の両面画像形成装置による両面画像形成において、第２面の画像形成のために供される用紙のカールの固定が弱められ、はじき、転写抜け等の画像の品質低下や、用紙の搬送ジャム等が防止される。
【図面の簡単な説明】
【図１】画像形成装置の模式図である。
【図２】冷却領域の構成を説明するための模式図である。
【図３】外気導入冷却ファンの稼働数と風量の関係を示す図である。
【図４】制御関係を示すブロック図である。
【図５】用紙の転写面の温度の変化を説明する図である。
【符号の説明】
１  自動原稿送り装置
２  画像読取装置
３  画像形成部
４  用紙反転部
５  冷却領域
６  用紙収納部
７  温度センサ
Ｃ  制御部
Ｄ  画像形成装置
Ｇ  現像器
Ｋ  筐体
ＴＣ  冷却手段制御部
【図１】
2004170590.tif 000003
【図２】
2004170590.tif 000004
【図３】
2004170590.tif 000005
【図４】
2004170590.tif 000006
【図５】
2004170590.tif 000007